(57)【要約】【課題】軽量で耳や後頭部に負担が加わらず、装着や取外しが容易で、顔のこめかみに密着して両側から確実に保持することができる眼鏡フレームを提供するものである。【解決手段】フロントフレーム３の左右両側に蝶番４を介して開閉自在に取付けたテンプル５を、装着者７の顔のこめかみ８の近傍に位置する長さに形成し、このテンプル５の先端側に、吸盤９の吸着板１１を互いに内側に向けて可動自在に取付け、吸盤９をこめかみ８に押し付けることにより吸着板１１の内部の空気が押し出されて肌の表面に吸着して眼鏡フレーム１を支持するようにしたものである。【選択図】  図１
0003175387.tif 000002
【実用新案登録請求の範囲】
【請求項１】
フロントフレームの左右両側に蝶番を介して開閉自在に取付けたテンプルを、装着者の顔のこめかみの近傍に位置する長さに形成し、このテンプルの先端に、吸盤の吸着板を互いに内側に向けて取付けたことを特徴とする眼鏡フレーム。
【請求項２】
吸盤の頭部をテンプルが貫通して、吸盤を可動自在に支持し、吸盤の位置を調整できるようにしたことを特徴とする請求項１記載の眼鏡フレーム。
【考案の詳細な説明】
【技術分野】
【０００１】
本考案は、顔の両側で支持する眼鏡フレームに関するものである。
【背景技術】
【０００２】
一般に眼鏡フレームは、フロントフレームの左右両側に蝶番を介して開閉自在にテンプル（つる）が取付けられ、このテンプルの先端は下方に湾曲して耳掛部が形成された耳掛式の眼鏡フレームが多く使用されている。しかしながらこの耳掛式の眼鏡フレームは、耳に重量が加わるため耳が痛くなったり、あるいはテンプルの弾性力が強いと、耳の後方の後頭部が強く締付けられて痛くなったりする問題があった。
【０００３】
また眼鏡を掛けたままイヤホンやヘッドホンを付けると、コードがテンプルに絡まったり、また美容室などでヘヤーキャプを被ったまま眼鏡を掛けて読書できないなどの問題もあった。
【０００４】
このためフロントフレームの左右両側に弾性アームを延出して、この弾性アームの先端を上方に折曲して顔のこめかみ近傍に位置させ、ここに２個のパッド部材を間隔をおいて取付け、弾性アームの弾性力によりこめかみの両側から挟持する眼鏡フレーム（特許文献１）も提案されている。
【０００５】
しかしながらこの眼鏡フレームは、弾性アームの先端が上方に折曲しているので折り畳んだ時にかさばり、またパッド部材の取付け位置が固定されているため着用者の顔に合わせて最適位置に調整しにくいなどの問題があった。
【先行技術文献】
【特許文献】
【０００６】
【特許文献１】特開２００３−３０７７１２号公報
【考案の概要】
【考案が解決しようとする課題】
【０００７】
本考案は上記問題を改善し、軽量で耳や後頭部に負担が加わらず、装着や取外しが容易で、顔のこめかみに密着して確実に保持することができる眼鏡フレームを提供するものである。
【課題を解決するための手段】
【０００８】
本考案の請求項１記載の眼鏡フレームは、フロントフレームの左右両側に蝶番を介して開閉自在に取付けたテンプルを、装着者の顔のこめかみの近傍に位置する長さに形成し、このテンプルの先端に、吸盤の吸着板を互いに内側に向けて取付けたことを特徴とするものである。
【０００９】
本考案の請求項２記載の眼鏡フレームは、請求項１において、吸盤の頭部をテンプルが貫通して、吸盤を可動自在に支持し、吸盤の位置を調整できるようにしたことを特徴とするものである。
【考案の効果】
【００１０】
本考案に係る請求項１記載の眼鏡フレームによれば、テンプルが短いので軽量であり、こめかみの両面から挟持するので密着して確実に保持することができると共に、耳掛式のように耳や後頭部に負担が加わらず、しかも装着や取外しが容易である。
【００１１】
また請求項２記載の眼鏡フレームによれば、吸盤の貫通孔をテンプルが貫通して可動自在に支持されているので、吸盤をこめかみの位置に合わせて微調整することができる。
【考案を実施するための最良の形態】
【００１２】
以下本考案の実施の一形態を図１ないし図４を参照して詳細に説明する。図において１は眼鏡フレームを示すもので、左右のレンズ２、２を嵌め込んだフロントフレーム３の左右両側に蝶番４、４を介して左右のテンプル５、５が開閉自在に取付けられている。このテンプル５の長さは、装着者７の鼻に掛けた時に、目の脇のこめかみ８の近傍に位置する長さに形成されている。
【００１３】
このテンプル５には、図２に示すように吸盤９が取付けられている。吸盤９は、頭部１０と皿状の吸着板１１とが一体に形成され、この頭部１０に図３に示すように貫通孔１２が形成され、ここにテンプル５が貫通して吸盤９を可動自在に支持している。またテンプル５の先端側には図４に示すように湾曲部１３が形成され、吸盤９が抜け落ちないようになっている。この吸盤９は例えば天然ゴムやシリコン樹脂で形成されている。
【００１４】
上記構成の眼鏡フレーム１は図１に示すように、左右のテンプル５、５を手で広げた状態でフロントフレーム３を装着者７の鼻の上に掛けてから、テンプル５に取付けた吸盤９の頭部１０をこめかみ８に押し付けると、皿状の吸着板１１の内部の空気が押し出されて肌の表面に吸着して眼鏡フレーム１を確実に支持することができる。
【００１５】
また吸盤９は、この貫通孔１２をテンプル５が貫通して可動自在に支持されているので、こめかみ８の位置に合わせて微調整することができる。なお吸盤９の吸着板１１が肌から離れて密着しなくても、テンプル５とこめかみ８との間に吸盤９の吸着板１１が介在しているので、テンプル５が外側に押し広げられ、この弾性力により吸盤９が顔の両面から挟持した状態となってしっかり保持することができる。またテンプル５の長さが通常の半分程度であり、全体の重量が軽いので装着した時の負担が少ない。
【００１６】
この結果、新聞を読んだりテレビを観る場合に限らず、運転や軽い運動を行なう場合にもしっかり保持され、またテンプル５を開くだけで簡単に取り外すことができるので、頻繁に眼鏡を装着したり外したりする場合に便利である。
【図面の簡単な説明】
【００１７】
【図１】本考案の実施の一形態による眼鏡フレームを顔に装着した状態を示す斜視図である。
【図２】図１の眼鏡フレームを示す斜視図である。
【図３】テンプルに取付けた吸盤がこめかみに吸着している状態を示す断面図である。
【図４】テンプルに取付けた吸盤が可動自在に支持されている状態を示す平面図である。
【符号の説明】
【００１８】
１    眼鏡フレーム                                          
２    レンズ                                                
３    フロントフレーム                                      
４    蝶番                                                  
５    テンプル                                              
７    装着者                                                
８    こめかみ                                              
９    吸盤                                                  
１０  頭部                                                  
１１  吸着板                                                
１２  貫通孔                                                
１３  湾曲部                                                
【図１】
0003175387.tif 000003
【図２】
0003175387.tif 000004
【図３】
0003175387.tif 000005
【図４】
0003175387.tif 000006